(57)【特許請求の範囲】
【請求項１】
マルチ画像面や複数の液晶画面等の大型平面光源の各単位を構成する平面光源が互いに隣り合う位置に前記平面光源の互いの縁部分からの出射光を取り込む複数の入射端面部と、これらの複数の前記入射端面部からの光を互いに隣り合う前記平面光源を跨いで１つの出射面から出射する導光体であって、
前記導光体は、細長い矩形状の平坦面をなす出射面と、前記出射面に対向した位置または前記出射面よりも外側に対向した位置に前記出射面よりも幅が狭く細長い矩形状を有する２つの前記入射端面部と、前記出射面の長辺と前記入射端面部の外側長辺とが接続する外側側面部または外側傾斜面部と、前記出射面よりも幅の狭い矩形状の平坦面をなす裏面部と、前記裏面部の長辺と前記入射端面部の内側長辺とが接続する内側側面部または内側傾斜面部と、これら前記出射面と前記入射端面部と前記裏面部と前記外側側面部または前記外側傾斜面部と前記内側側面部または前記内側傾斜面部とが接続する２つの端側面部とからなり、
前記出射面および前記裏面部および前記外側側面部または前記外側傾斜面部および前記内側側面部または前記内側傾斜面部には、光を屈折または／および全反射する光偏向素子を設け、
さらに前記出射面の長辺と前記外側側面部または前記外側傾斜面部とが接続する部分または／および前記裏面部の長辺と前記内側側面部または前記内側傾斜面部とが接続する部分は、丸みを有することを特徴とする導光体。
【請求項２】
マルチ画像面や複数の液晶画面等の大型平面光源の各単位を構成する平面光源が互いに隣り合う位置に前記平面光源の互いの縁部分からの出射光を取り込む複数の入射端面部と、これらの複数の前記入射端面部からの光を互いに隣り合う前記平面光源を跨いで１つの出射面から出射する導光体であって、
前記導光体は、十形状の平坦面をなす出射面と、前記出射面に対向した位置または前記出射面よりも外側に対向した位置にＬ形状を有する４つの前記入射端面部と、前記出射面の４分の１のＬ形状辺と前記入射端面部の外側Ｌ形状辺とが接続する外側側面部または外側傾斜面部と、前記出射面よりも幅の狭い十形状の平坦面をなす裏面部と、前記裏面部のＬ形状辺と前記入射端面部の内側Ｌ形状辺とが接続する内側側面部または内側傾斜面部と、これら前記出射面と前記入射端面部と前記裏面部と前記外側側面部または前記外側傾斜面部と前記内側側面部または前記内側傾斜面部とが接続する４つの端側面部とからなり、
前記出射面および前記裏面部および前記外側側面部または前記外側傾斜面部および前記内側側面部または前記内側傾斜面部には、光を屈折または／および全反射する光偏向素子を設け、
さらに前記出射面Ｌ形状辺と前記外側側面部または前記外側傾斜面部とが接続する部分または／および前記入射端面部の内側Ｌ形状辺と前記内側側面部または前記内側傾斜面部とが接続する部分は、丸みを有することを特徴とする導光体。
【請求項３】
前記光偏向素子は、凸形状または／および凹形状の球および楕円球の一部ならびに三角錘、円錐、四角錐、三角柱、四角柱、円柱から成ることを特徴とする請求項１または２記載の導光体。
【発明の詳細な説明】
【０００１】
【発明の属する技術分野】
本発明は、液晶表示装置を多数用いた大型のディスプレやマルチ画像ならびにＲＧＢのＬＥＤ光源等を利用した平面光源を用いた大型のディスプレやマルチ画像の各単位を構成する平面光源の各隣り合った部分の境目に設けられる導光体に関し、互いに隣り合う平面光源の縁からの出射光を導き、互いに隣り合う平面光源を跨いだ位置の１つの出射面から出射して各隣り合った部分の境目を目立たなくすることができる導光体に関する。
【０００２】
【従来の技術】
従来、液晶表示装置を多数、左右や上下またはマトリックス状につなぎ合わせた大型の液晶表示ディスプレやマルチ画像等は知られている。
【０００３】
また、液晶表示装置を多数用いた大型のディスプレやマルチ画像等の光源として平面光源を用いた場合には、平面光源自身の大きさに限界がある。このため、大型のディスプレやマルチ画像用に平面光源を左右や上下またはマトリックス状につなぎ合わせて大型の平面光源を構成したものが知られている。
【０００４】
さらに、赤色、緑色、青色（ＲＧＢ）の半導体発光素子等の光源をマトリックス状に配置した大型のディスプレやマルチ画像が知られている。
【０００５】
また、大型化平面光源として液晶表示装置等の裏面側に線状光源を複数並べて上方に出射する直下型平面照明装置も知られている。
【０００６】
【発明が解決しようとする課題】
従来の大型液晶表示ディスプレやマルチ画像等で、液晶表示装置を多数、左右や上下またはマトリックス状につなぎ合わせて大型化したものでは、個々の液晶表示装置のつなぎ目が目立ってしまう。このため、見栄えが悪く、常に格子越しから観たように格子状の線を見ないようにさせることができなかった。
【０００７】
また、液晶表示装置を多数用いた大型のディスプレやマルチ画像等の光源として平面光源を用いた場合には、平面光源自身の大きさに限界がある。このため、大型のディスプレやマルチ画像用に平面光源を左右や上下またはマトリックス状につなぎ合わせた大型の平面光源を採用している。しかし、この大型の平面光源では、平面光源をつなぎ合わせたつなぎ目の部分の輝度が異常に低く液晶表示の輝度に斑を発生させてしまう課題がある。また、最悪の場合には、平面光源のつなぎ目が格子状の暗線として現れてしまう課題がある。
【０００８】
さらに、赤色、緑色、青色（ＲＧＢ）の半導体発光素子等の光源をマトリックス状にした大型のディスプレやマルチ画像にした場合でも、個々の半導体発光素子等の光源のつなぎ目が目立ってしまう。このため、見栄えが悪く、常に格子越しから観たように格子状の線を見ないようにさせることができなかった。
【０００９】
また、従来の大型平面光源として液晶表示装置等の裏面側に線状光源を複数並べて上方に出射する直下型平面照明装置では、複数の線状光源が互いに隣に作用してしまう。このため、全体としての輝度分布や装置の大型化ならびに装置の重量等に課題がある。
【００１０】
この発明は、このような課題を解決するためなされたもので、その目的は液晶表示装置をマトリックス状に多数用いた大型液晶ディスプレやマルチ画像等やこれら液晶表示装置用に平面光源をつなぎ合わせた大型の平面光源および赤色、緑色、青色（ＲＧＢ）の半導体発光素子等の光源をマトリックス状にした大型のディスプレやマルチ画像に対して、これら大型化するため多数をつなぎ合わせたつなぎ目に、各液晶表示装置や平面光源および半導体発光素子等の光源からの隣り合った出射光を一度導光体の入射端面部に取り込み、各隣り合っている境目の位置に設けた出射面から出射して、つなぎ目を隠してつなぎ目の存在認識をなくすとともに見栄えを良くすることもできる導光体を提供することにある。
【００１１】
【課題を解決するための手段】
上記課題を解決するため請求項１に係る導光体は、細長い矩形状の平坦面をなす出射面と、出射面に対向した位置または出射面よりも外側に対向した位置に出射面よりも幅が狭く細長い矩形状を有する２つの入射端面部と、出射面の長辺と入射端面部の外側長辺とが接続する外側側面部または外側傾斜面部と、出射面よりも幅の狭い矩形状の平坦面をなす裏面部と、裏面部の長辺と入射端面部の内側長辺とが接続する内側側面部または内側傾斜面部と、これら出射面と入射端面部と裏面部と外側側面部または外側傾斜面部と内側側面部または内側傾斜面部とが接続する２つの端側面部とからなり、
出射面および裏面部および外側側面部または外側傾斜面部および内側側面部または内側傾斜面部には、光を屈折または／および全反射する光偏向素子を設け、
さらに出射面の長辺と外側側面部または外側傾斜面部とが接続する部分または／および裏面部の長辺と内側側面部または内側傾斜面部とが接続する部分は、丸みを有することを特徴とする。
【００１２】
請求項１に係る導光体は、細長い矩形状の平坦面をなす出射面と、出射面に対向した位置または出射面よりも外側に対向した位置に出射面よりも幅が狭く細長い矩形状を有する２つの入射端面部と、出射面の長辺と入射端面部の外側長辺とが接続する外側側面部または外側傾斜面部と、出射面よりも幅の狭い矩形状の平坦面をなす裏面部と、裏面部の長辺と入射端面部の内側長辺とが接続する内側側面部または内側傾斜面部と、これら出射面と入射端面部と裏面部と外側側面部または外側傾斜面部と内側側面部または内側傾斜面部とが接続する２つの端側面部とからなり、
出射面および裏面部および外側側面部または外側傾斜面部および内側側面部または内側傾斜面部には、光を屈折または／および全反射する光偏向素子を設け、
さらに出射面の長辺と外側側面部または外側傾斜面部とが接続する部分または／および裏面部の長辺と内側側面部または内側傾斜面部とが接続する部分は、丸みを有するので、互いに隣り合う平面光源の境目を目立たなくすることができる。
左右や上下に設けた平面光源や液晶表示装置の境目の存在をなくし見やすく見栄えの良い完全に１つの大型表示装置を得ることができる。
導光体自身による境目を無くし導光体の存在認識が出来ないようにする。
【００１３】
また、請求項２に係る導光体は、十形状の平坦面をなす出射面と、出射面に対向した位置または出射面よりも外側に対向した位置にＬ形状を有する４つの入射端面部と、出射面の４分の１のＬ形状辺と入射端面部の外側Ｌ形状辺とが接続する外側側面部または外側傾斜面部と、出射面よりも幅の狭い十形状の平坦面をなす裏面部と、裏面部のＬ形状辺と入射端面部の内側Ｌ形状辺とが接続する内側側面部または内側傾斜面部と、これら出射面と入射端面部と裏面部と外側側面部または外側傾斜面部と内側側面部または内側傾斜面部とが接続する４つの端側面部とからなり、
出射面および裏面部および外側側面部または外側傾斜面部および内側側面部または内側傾斜面部には、光を屈折または／および全反射する光偏向素子を設け、
さらに出射面Ｌ形状辺と外側側面部または外側傾斜面部とが接続する部分または／および入射端面部の内側Ｌ形状辺と内側側面部または内側傾斜面部とが接続する部分は、丸みを有することを特徴とする。
【００１４】
請求項２に係る導光体は、十形状の平坦面をなす出射面と、出射面に対向した位置または出射面よりも外側に対向した位置にＬ形状を有する４つの入射端面部と、出射面の４分の１のＬ形状辺と入射端面部の外側Ｌ形状辺とが接続する外側側面部または外側傾斜面部と、出射面よりも幅の狭い十形状の平坦面をなす裏面部と、裏面部のＬ形状辺と入射端面部の内側Ｌ形状辺とが接続する内側側面部または内側傾斜面部と、これら出射面と入射端面部と裏面部と外側側面部または外側傾斜面部と内側側面部または内側傾斜面部とが接続する４つの端側面部とからなり、
出射面および裏面部および外側側面部または外側傾斜面部および内側側面部または内側傾斜面部には、光を屈折または／および全反射する光偏向素子を設け、
さらに出射面Ｌ形状辺と外側側面部または外側傾斜面部とが接続する部分または／および入射端面部の内側Ｌ形状辺と内側側面部または内側傾斜面部とが接続する部分は、丸みを有するので、互いに隣り合う平面光源の境目を目立たなくすることができる。
左右や上下にマトリックス状に設けた平面光源や液晶表示装置の境目の存在をなくし見やすく見栄えの良い完全に１つの大型表示装置を得ることができる。
導光体自身による境目を無くし導光体の存在認識が出来ないようにする。
【００１５】
さらに、請求項３に係る導光体は、光偏向素子が、凸形状または／および凹形状の球および楕円球の一部ならびに三角錘、円錐、四角錐、三角柱、四角柱、円柱から成ることを特徴とする。
【００１６】
請求項３に係る導光体は、光偏向素子が、凸形状または／および凹形状の球および楕円球の一部ならびに三角錘、円錐、四角錐、三角柱、四角柱、円柱から成るので、出射面からの必要な出射光の方向、輝度等およびこれらの組合せ等を選択することが出来る。
【００２３】
【発明の実施の形態】
以下、本発明の実施の形態を添付図面に基づき説明する。
なお、本発明は、従来の大型マルチ画像面や大型液晶画像および大型平面光源では一般的な液晶画面や平面光源を上下、左右およびマトリックス状につないで大型化するために、これら液晶画面や平面光源をつなぎ合わせた、つなぎ目の部分が目立って見づらかったり、部分的な輝度の低下や斑の発生、線状や格子状の暗線の発生を解消するための導光体を提供することにある。
【００２４】
このため、本発明の導光体は、液晶画面や平面光源が互いに隣り合う縁部分からの出射光を取り込む複数（２つまたは４つ）の入射端面部と、この入射端面部から入射した光を出射する細長い矩形状や十形状の出射面と、この出射面の長辺または出射面の４分の１のＬ形状辺と入射端面部の外側長辺または外側Ｌ形状辺とに接続する外側側面部と、出射面よりも幅の狭い裏面部と、この裏面部の長辺またはＬ形状辺と入射端面部の長辺または内側Ｌ形状辺とが接続する内側側面部と、これら出射面と入射端面部と裏面部と外側側面部と内側側面部とが接続する２つまたは４つの端側面部とを有した構成となっている。
【００２５】
また、光を屈折または／および全反射する球および楕円球の一部ならびに三角錐、円錐、四角錐、三角柱、四角柱、円柱の何れかから成る光偏向素子を出射面、裏面部、外側側面部、内側側面部に設けている。
【００２６】
これにより、入射端面部から入射した光を出射面方向に導いて出射面から光を出射させ、個々の光源のつなぎ目の線状や格子状の線の目立ちをなくし、見栄え良く完全に１つの大型ディスプレやマルチ画像を得ることができ、しかも容易に自由な大きさの大型のディスプレやマルチ画像を再現することができる導光体を提供している。
【００２７】
図１（ａ）は本発明に係る導光体の概略構成を示す斜視図、図１（ｂ）は図１（ａ）の導光体を入射端面部側（裏側）から見た図、図２（ａ）は本発明に係る導光体の他の構成の概略を示す斜視図、図２（ｂ）は図２（ａ）の導光体を入射端面部側（裏側）から見た図、図３および図４は本発明に係る導光体の断面図であって、光の軌跡を説明するための図、図５乃至図７は本発明に係る導光体を液晶表示装置や平面光源等の表面に載置する場合の実際の使用例を示す概略図である。
【００２８】
図１（ａ），（ｂ）の導光体１（１Ａ）は、平坦面をなす細長い矩形状の出射面２と、出射面２に対向した位置または出射面２よりも外側に対向した位置に出射面２よりも幅が狭く細長い矩形状の平坦面をなす２つの入射端面部３（３ａ，３ｂ）と、出射面２の長辺と入射端面部３の外側長辺とが接続する矩形状の外側側面部４（または外側傾斜面部４）と、出射面２よりも幅が狭く出射面２の反対面に位置する矩形状の平坦面をなす裏面部５と、裏面部５の長辺と入射端面部３の内側長辺とが接続する矩形状の内側側面部６（または内側傾斜面部６）と、これら出射面２と入射端面部３と裏面部５と外側側面部４（または外側傾斜面部４）と内側側面部６（または内側傾斜面部６）とが接続する矩形状の２つの端側面部７とから構成されている。
【００２９】
図２（ａ），（ｂ）の導光体１（１Ｂ）は、平坦面をなす十形状の出射面２と、出射面２に対向した位置または出射面２よりも外側に対向した位置にＬ形状の平坦面をなす４つの入射端面部３と、出射面２の４分の１のＬ形状辺と入射端面部３の外側Ｌ形状辺３４とが接続する外側側面部４（または外側傾斜面部４）と、出射面２よりも幅が狭く出射面２の反対面に位置する十形状の平坦面をなす裏面部５と、裏面部５のＬ形状辺と入射端面部３の内側Ｌ形状辺３６とが接続するＬ形状の内側側面部６（または内側傾斜面部６）と、これら出射面２と入射端面部３と裏面部５と外側側面部４（または外側傾斜面部４）と内側側面部６（または内側傾斜面部６）とが接続する矩形状の４つの端側面部７とからなる。
【００３０】
なお、図１および図２の例では、外側側面部４および内側側面部６を傾斜面とする外側傾斜面部４および内側傾斜面部６として図示している。
【００３１】
導光体１（１Ａ，１Ｂ）は、屈折率が１．４〜１．７程度の透明なアクリル樹脂（ＰＭＭＡ）やポリカーボネート（ＰＣ）等で形成されている。
【００３２】
また、導光体１（１Ａ，１Ｂ）における出射面２および外側側面部４（または外側傾斜面部４）および内側側面部６（または内側傾斜面部６）には、光を屈折または／および全反射する光偏向素子８が設けられている。
【００３３】
尚、外側側面部４（または外側傾斜面部４）と内側側面部６（または内側傾斜面部６）は、導光体１（１Ａ，１Ｂ）の大きさや図示しない液晶表示装置や平面光源等の出射光によって図３に示すような外側側面部４や内側側面部６の真直な面または図４に示すような外側傾斜面部４や内側傾斜面部６の傾斜面にするものである。
【００３４】
上述した導光体１（１Ａ，１Ｂ）において、入射端面部３から入射した光は、０≦｜γ｜≦ｓｉｎ-1（１／ｎ）の式を満たす屈折角γの範囲γ＝０°〜±４２°で導光体１（１Ａ，１Ｂ）内を進む。また、導光体１（１Ａ，１Ｂ）と空気層（屈折率ｎ＝１）との境界面では、ｓｉｎθ＝（１／ｎ）の式で臨界角α＝４２°となる。このため、入射角が臨界角よりも大きい場合には全反射し、臨界角を破らない限り導光体１（１Ａ，１Ｂ）内に閉じ込められ、導光体１（１Ａ，１Ｂ）内から脱出できない。
【００３５】
ここで、図３の導光体１（１Ａ，１Ｂ）の断面図に基づいて光の軌跡を説明する。
図３の例では、出射面２に対して直角な真直な面を有する外側側面部４や内側側面部６としている。図３において、入射端面部３から入射した光線は、屈折角γの範囲γ＝０°〜±４２°で導光体１（１Ａ，１Ｂ）内を進む。そして、真直ぐな光線Ｌ１は、屈折せずに真直ぐ進み、出射面２から直接出射光Ｌ０１として出射する。
【００３６】
また、入射端面部３（３ａ）で屈折した±４２°程度の光線Ｌｒは、外側側面部４や内側側面部６で全反射をしながら進み、さらに出射面２でも全反射を繰り返す。ここで、出射面２に設けた光偏向素子８に達した光線は、光偏向素子８（ここでは凸形状）によって屈折して出射面２から光線Ｌｒ１を出射する。
【００３７】
同様に、入射端面部３（３ｂ）で屈折した±４２°程度の光線Ｌｒは、外側側面部４や内側側面部６で全反射しながら進み、さらに出射面２でも全反射を繰り返す。ここで、裏面部５に設けた光偏向素子８に達した光線は、光偏向素子８（ここでは凹形状）によって全反射して裏面部５から出射面２方向に進み、出射面２から光線Ｌｒ２を出射する。
【００３８】
尚、光偏向素子８は、球および楕円球の一部ならびに三角錐、円錐、四角錐、三角柱、四角柱、円柱等の内から出射面２から最適な光が出射するように選択する。
【００３９】
例えば、出射面２に設けた光偏向素子８の位置が図３の導光体１の左寄りにある場合で、もっと導光体１（１Ａ，１Ｂ）の出射面２の中心方向に出射しなければならない時には、凸形状の球の一部の円弧状面よりも屈折する出射面と成る面の角度が小さい三角錐や四角錐を用いて出射面２に沿った出射光を得た方が良い。
【００４０】
このように、光偏向素子８は出射面２からの必要な出射光の方向、輝度等およびこれらの組み合わせ等を選択をし、導光体１（１Ａ，１Ｂ）の入射端面部３からの直進光による出射面２からの出射光と、全反射等で伝播した光を屈折させて偏向して導光体１の中央方向からの出射光とによって導光体１（１Ａ，１Ｂ）の出射面２全体から均一に出射することができる。
【００４１】
次に、図４の導光体１（１Ａ，１Ｂ）の断面図に基づいて光の軌跡を説明する。
図４の例では、出射面２に対して所定角度の傾斜面を有する外側傾斜面部４や内側傾斜面部６としている。図４において、入射端面部３から入射した光線は、屈折角γの範囲γ＝０°〜±４２°で導光体１（１Ａ，１Ｂ）内を進む。そして、真直ぐな光線Ｌ１は、外側傾斜面部４に進み、外側傾斜面部４で全反射を行い、さらに出射面２方向に進む。ここで、出射面２に設けた光偏向素子８に達した光線は、光偏向素子８（ここでは凸形状）によって屈折して出射面２から光線Ｌｍｒ１を出射する。
【００４２】
また、入射端面部３（３ａ，３ｂ）から入射して真直ぐに進んだ光線Ｌ１の内で、外側傾斜面部４に設けた光偏向素子８（ここでは凸形状）に進んだ光線Ｌ１は、光偏向素子８で屈折して外側傾斜面部４から光線Ｌ０ｍ１を出射する。
【００４３】
さらに、入射端面部３（３ｂ）で屈折した±４２°程度の光線Ｌｒは、外側傾斜面部４や内側傾斜面部６で全反射しながら進む。ここで、出射面２に達して出射面２に設けた光偏向素子８に達した光線は、光偏向素子８（ここでは凸形状）によって屈折して出射面２から光線Ｌｍｒ２を出射する。
【００４４】
なお、図示はしないが、図３でも説明したように、入射端面部３で屈折した±４２°程度の光線Ｌｒは、外側側面部４や内側側面部６で全反射をしながら進み、さらに出射面２でも全反射を繰り返す。ここで、裏面部５に設けた光偏向素子８に達した光線は、光偏向素子８によって全反射して裏面部５から出射面２方向に進み出射面２から光線を出射する。
なお、図４での光偏向素子８についての説明は、図３で説明した場合と同様に作用するので、ここでは省略する。
【００４５】
ところで、導光体１（１Ａ，１Ｂ）は、図１（ａ）や図２（ａ）に示すように、出射面２の長辺および出射面２のＬ形状辺と外側側面部４（または外側傾斜面部４）とが接続する部分または／および裏面部５の長辺および入射端面部３の内側Ｌ形状辺と内側側面部６（または内側傾斜面部６）とが接続する部分に所定曲率の丸みを有するようにしても良い。
【００４６】
また、導光体１（１Ａ，１Ｂ）は、出射面２の縁部分に所定曲率の丸みをもたせるのが好ましい。これにより、導光体１（１Ａ，１Ｂ）自身による出射面２と外側側面部４や外側傾斜面部４との境目を無くして入射端面部３から入射した光線による接続する稜線からの出射や外光による反射光による導光体１の存在認識が出来ないようにすることができる。
【００４７】
同様に、裏面部５の縁部分にも所定曲率の丸みをもたせるのが好ましい。これにより、導光体１自身による裏面部５と内側側面部６や内側傾斜面部６との境目を無くして入射端面部３から入射した光線による接続する谷線からの出射による反射光による導光体１（１Ａ，１Ｂ）の存在認識が出来ないようにすることができる。
【００４８】
図５は複数の平面光源１０や液晶表示装置１０を左右や上下に設けた平面光源１０や液晶表示装置１０の境目１２位置上に本発明の導光体１（１Ａ）を設けた略断面図である。
【００４９】
また、図６（ａ），（ｂ）は複数の平面光源１０や液晶表示装置１０を左右や上下またはマトリックス状に設けた平面光源１０や液晶表示装置１０の境目１２位置上に本発明の導光体１（１Ａ，１Ｂ）を設けた略平面図である。
【００５０】
図５や図６（ａ）に示すように、複数の平面光源１０や液晶表示装置１０を左右や上下に設けた場合には、図１に示す本発明の導光体１Ａを用いる。そして、隣り合う平面光源１０や液晶表示装置１０の境目１２（破線）の位置に互いの２つの平面光源１０や液晶表示装置１０を跨ぐ様に導光体１Ａを載置する。これにより、平面光源１０や液晶表示装置１０の縁から出射される光を導光体１Ａの入射端面部３から導光板１Ａ内に導き、導光体１Ａの存在が認識されないように導光体１Ａの出射面２から光を出射する。
【００５１】
すなわち、従来の大型液晶表示ディスプレやマルチ画像等の平面光源や液晶表示装置を多数、左右や上下につなぎ合わせて大型化したものでは、個々の平面光源や液晶表示装置のつなぎ目１２が目立ってしまい、見栄えが悪かった。しかも、平面光源をつなぎ合わせたつなぎ目１２の部分の輝度が異常に低く、液晶表示の輝度に斑を発生させたり、平面光源のつなぎ目１２に暗線として現われる。しかし、上述した図５や図６（ａ）の例のように、本例の導光板１Ａを採用することにより、上記問題を回避して、左右や上下に設けた平面光源や液晶表示装置の境目１２の存在をなくし、見やすく見栄えの良い完全に１つの大型表示装置を得ることができる。
【００５２】
また、図６（ｂ）に示すように、複数の平面光源１０や液晶表示装置１０をマトリックス状に設けた場合には、図２に示す本発明の導光体１Ｂを用いる。そして、隣り合う平面光源１０や液晶表示装置１０の境目１２の位置に互いの４つの平面光源１０や液晶表示装置１０を跨ぐ様に導光体１Ｂを載置する。これにより、平面光源１０や液晶表示装置１０の縁から出射される光を導光体１の入射端面部３から導光体１Ｂ内に導き、導光体１Ｂの存在が認識されないように導光体１Ｂの出射面２から光を出射する。
【００５３】
さらに、図７に示すように、超大型の液晶表示ディスプレや、マルチ画像および平面光源等がマトリックス状につなぎ合わせて用いる場合には、２種類の導光体１Ａ，１Ｂを組み合わせて使用することで制限なく大型化することができる。例えば、網目状になるマトリックスの結合点には出射面２が十形状をした導光体１Ｂを載置し、これら導光体１Ｂの結合点間には、出射面２が直線状をした導光体１Ａを載置する。これにより、境目１２の存在をなくし見やすく見栄えの良い完全に１つの超大型表示装置を得ることができる。
【００５４】
すなわち、従来の大型液晶表示ディスプレやマルチ画像等の平面光源や液晶装置を多数、マトリックス状につなぎ合わせて大型化したものでは、個々の平面光源や液晶表示装置のつなぎ目１２が目立ってしまい、見栄えが悪かった。しかも、常に格子越しから観たように格子状の線１２を認識してしまい、平面光源をつなぎ合わせたつなぎ目１２の部分の輝度が異常に低く、液晶表示の輝度に斑を発生させたり、平面光源のつなぎ目１２が格子状１２の暗線として現われる。しかし、上述した図６（ｂ）や図７の例のように、本例の導光体１Ａ，１Ｂを採用することにより、上記問題を回避して、マトリックス状に設けた平面光源や液晶表示装置の境目１２の存在をなくし、見やすく見栄えの良い完全に１つの大型表示装置を得ることができる。
【００５５】
また、これら平面光源や液晶表示装置だけでなく、赤色、緑色、青色（ＲＧＢ）の半導体発光素子等の光源（例えば、半導体発光素子を矩形形状のパッケージにして、矩形形状の開口部から出射する。）をマトリックス状にした大型のディスプレやマルチ画像にした場合でも、個々の光源のつなぎ目が目立ってしまい、見栄えが悪く、常に格子越しから観たような格子状の線を認識してしまう。しかし、本例の導光体１を採用することにより、マトリックス状に設けた光源の境目の存在をなくし、見やすく見栄えの良い完全に１つの大型のディスプレやマルチ画像を得ることができる。
【００５６】
このように、従来、複数の平面光源や液晶表示装置等を上下、左右およびマトリックス状に用いて大型した場合、平面光源や液晶表示装置等を互いにつなぎ合わせるために、つなぎ目が目立ってしまったり、輝度の斑が目立ってしまうという問題があった。
【００５７】
そこで、本発明では、各平面光源や液晶表示装置等のつなぎ目の位置に平面光源や液晶表示装置等を跨ぐように導光体を配置する。これにより、平面光源や液晶表示装置等の縁に対応した導光体の２つまたは４つの入射端面部から平面光源や液晶表示装置等からの出射光を導き、これら入射端面部に対向し、各平面光源や液晶表示装置等のつなぎ目の位置に１つの出射部から導光体内に導いた光を出射する。その結果、個々の光源のつなぎ目の線状や格子状の線の目立ちをなくし、見栄え良く完全に１つの大型のディスプレやマルチ画像を得ることができる。しかも、容易に自由な大きさの大型のディスプレやマルチ画像を再現することができる。
【００５８】
【発明の効果】
以上のように、請求項１に係る導光体は、細長い矩形状の出射面と、出射面に対向した位置または出射面よりも外側に対向した位置に出射面よりも幅が狭く細長い矩形状を有する２つの入射端面部と、出射面の長辺と入射端面部の外側長辺とが接続する外側側面部または外側傾斜面部と、出射面よりも幅の狭い矩形状の平坦面をなす裏面部と、裏面部の長辺と入射端面部の内側長辺とが接続する内側側面部または内側傾斜面部と、これら出射面と入射端面部と裏面部と外側側面部または外側傾斜面部と内側側面部または内側傾斜面部とが接続する２つの端側面部とからなり、
出射面および裏面部および外側側面部または外側傾斜面部および内側側面部または内側傾斜面部には、光を屈折または／および全反射する光偏向素子を設け、
さらに出射面の長辺と外側側面部または外側傾斜面部とが接続する部分または／および裏面部の長辺と内側側面部または内側傾斜面部とが接続する部分は、丸みを有するので、互いに隣り合う平面光源の境目を目立たなくすることができる。これにより、見やすく見栄えの良い大型画面やマルチ画像面を得ることができる。
また、左右や上下に設けた平面光源や液晶表示装置の境目の存在をなくし見やすく見栄えの良い完全に１つの大型表示装置を得ることができる。しかも、平面光源や液晶表示装置の数にとらわれずに大型化が容易にすることができるように自由に設計することができる。
さらに、導光体自身による境目を無くし導光体の存在認識が出来ないようにする。このため、導光体の異物感が無く平面光源や液晶表示装置からの出射光と導光体からの出射光が、完全に一体化することができる。
【００５９】
また、請求項２に係る導光体は、十形状の平坦面をなす出射面と、出射面に対向した位置または出射面よりも外側に対向した位置にＬ形状を有する４つの入射端面部と、出射面の４分の１のＬ形状辺と入射端面部の外側Ｌ形状辺とが接続する外側側面部または外側傾斜面部と、出射面よりも幅の狭い十形状の平坦面をなす裏面部と、裏面部のＬ形状辺と入射端面部の内側Ｌ形状辺とが接続する内側側面部または内側傾斜面部と、これら出射面と入射端面部と裏面部と外側側面部または外側傾斜面部と内側側面部または内側傾斜面部とが接続する４つの端側面部とからなり、
出射面および裏面部および外側側面部または外側傾斜面部および内側側面部または内側傾斜面部には、光を屈折または／および全反射する光偏向素子を設け、
さらに出射面Ｌ形状辺と外側側面部または外側傾斜面部とが接続する部分または／および入射端面部の内側Ｌ形状辺と内側側面部または内側傾斜面部とが接続する部分は、丸みを有するので、互いに隣り合う平面光源の境目を目立たなくすることができる。これにより、見やすく見栄えの良い大型画面やマルチ画像面を得ることができる。
また、左右や上下にマトリックス状に設けた平面光源や液晶表示装置の境目の存在をなくし見やすく見栄えの良い完全に１つの大型表示装置を得ることができる。しかも、平面光源や液晶表示装置の数にとらわれずに大型化が容易にすることができるように自由に設計することができる。
さらに、導光体自身による境目を無くし導光体の存在認識が出来ないようにする。このため、導光体の異物感が無く平面光源や液晶表示装置からの出射光と導光体からの出射光が、完全に一体化することができる。
【００６０】
さらに、請求項３に係る導光体は、光偏向素子が、凸形状または／および凹形状の球および楕円球の一部ならびに三角錘、円錐、四角錐、三角柱、四角柱、円柱から成るので、出射面からの必要な出射光の方向、輝度等およびこれらの組合せ等を選択することが出来る。このため、導光体の入射端面部からの直進光による出射面からの出射光と全反射等で伝播した光を屈折させて偏向し、平面光源や液晶表示装置等の境目に対向した位置にある出射面からの出射光とが均一に出射することができる。
【図面の簡単な説明】
【図１】（ａ）本発明に係る導光体の概略構成を示す斜視図
（ｂ）（ａ）の導光体を入射端面部側（裏側）から見た図
【図２】（ａ）本発明に係る導光体の他の構成による概略を示す斜視図
（ｂ）（ａ）の導光体を入射端面部側（裏側）から見た図
【図３】本発明に係る導光体の断面図
【図４】本発明に係る導光体の他の例の断面図
【図５】本発明に係る導光体の実施断面図
【図６】本発明に係る導光体の他の実施略平面図
【図７】本発明に係る導光体の他の実施略平面図
【符号の説明】
１（１Ａ，１Ｂ）…導光体、２…出射面、３（３ａ，３ｂ）…入射端面部、４…外側側面部，外側傾斜面部、５…裏面部、６…内側側面部，内側傾斜面部、７…端側面部、８…光偏向素子、１０…液晶表示装置または平面光源、１２…つなぎ目，境目，格子状、３４…外側Ｌ形状辺、３６…内側Ｌ形状辺、Ｌ１，Ｌ０１，Ｌｒ，Ｌｒ１，Ｌｒ２，Ｌ０ｍ１，Ｌｍｒ１，Ｌｍｒ２…光線。
【図１】
0003670639.tif 000002
【図２】
0003670639.tif 000003
【図３】
0003670639.tif 000004
【図４】
0003670639.tif 000005
【図５】
0003670639.tif 000006
【図６】
0003670639.tif 000007
【図７】
0003670639.tif 000008